【手続補正書】
【提出日】平成19年7月19日(2007.7.19)
【手続補正１】
【補正対象書類名】明細書
【補正対象項目名】特許請求の範囲
【補正方法】変更
【補正の内容】
【特許請求の範囲】
【請求項１】  造血状態を評価する方法であって、該方法は、以下：
（ａ）被験体由来の試験細胞集団であって、該試験細胞集団における少なくとも１つの細胞が、ＨＥＭＡ  １〜３９および４０からなる群より選択される１以上の核酸配列を発現し得る、試験細胞集団における１以上の該核酸配列の発現を測定する工程；ならびに
（ｂ）造血状態が既知である少なくとも１つの細胞を含む参照細胞集団における該核酸配列の発現と、該試験細胞集団における該核酸配列の発現とを比較し、
それによって該被験体における造血状態を示す工程、
を包含する方法。
【請求項２】  前記方法が、５以上の前記核酸配列の発現を比較する工程を包含する、請求項１に記載の方法。
【請求項３】  前記方法が、２０以上の前記核酸配列の発現を比較する工程を包含する、請求項１に記載の方法。
【請求項４】  前記方法が、２５以上の前記核酸配列の発現を比較する工程を包含する、請求項１に記載の方法。
【請求項５】  前記試験細胞集団における前記核酸配列の発現が、前記参照細胞集団と比較して増大される、請求項１に記載の方法。
【請求項６】  前記試験細胞集団がインビトロで提供される、請求項１に記載の方法。
【請求項７】  前記試験細胞集団が哺乳動物被験体からエキソビボで提供される、請求項１に記載の方法。
【請求項８】  前記試験細胞集団がヒトまたはげっ歯類の被験体に由来する、請求項１に記載の方法。
【請求項９】  前記試験細胞が造血細胞を含む、請求項１に記載の方法。
【請求項１０】  造血障害に対する感受性を診断または決定するのを補助する方法であって、該方法は、以下：
（ａ）被験体由来の試験細胞集団であって、該試験細胞集団における少なくとも１つの細胞が、ＨＥＭＡ  １〜３９および４０からなる群より選択される１以上の核酸配列を発現し得る、試験細胞集団における１以上の該核酸配列の発現を測定する工程；ならびに
（ｂ）造血障害に罹患していない被験体由来の少なくとも１つの細胞を含む参照細胞集団における該核酸配列の発現と、該試験細胞集団における該核酸配列の発現とを比較する工程；ならびに
（ｄ）該試験細胞集団および該参照細胞集団において、存在する場合、該核酸配列の発現レベルにおける差異を同定し、それによって該被験体における造血障害に対する感受性を診断または決定するのを補助する工程、
を包含する、方法。
【請求項１１】  前記造血障害が貧血、白血病およびリンパ腫からなる群より選択される、請求項１０に記載の方法。
【請求項１２】  被験体における造血障害を処置するための組成物であって、ＨＥＭＡ  １〜３９および４０からなる群より選択される１以上の核酸の発現または活性を調節する薬剤を含む、組成物。
【請求項１３】  前記薬剤がペプチド、ペプチド模倣物、低分子または他の薬物である、請求項１２に記載の組成物。
【請求項１４】  造血障害の処置の効力を評価する方法であって、該方法は、以下：
（ａ）被験体由来の試験細胞集団であって、該試験細胞集団における少なくとも１つの細胞が、ＨＥＭＡ  １〜３９および４０からなる群より選択される１以上の核酸配列を発現し得る、試験細胞集団における１以上の該核酸配列の発現を検出する工程；
（ｂ）造血障害に罹患していない被験体由来の少なくとも１つの細胞を含む参照細胞集団における該核酸配列の発現と、該試験細胞集団における該核酸配列の発現とを比較する工程；ならびに
（ｃ）該試験細胞集団および該参照細胞集団において、存在する場合、該核酸配列の発現レベルにおける差異を同定し、それによって該被験体における造血障害の処置の効力を評価する工程、
を包含する、方法。
【請求項１５】  配列番号２、４または５に少なくとも７５％同一であるアミノ酸配列を含むポリペプチドをコードする、単離された核酸分子、あるいは該核酸分子の相補体。
【請求項１６】  請求項１５に記載の核酸分子を含む、核酸ベクター。
【請求項１７】  請求項１５に記載の単離された核酸分子を含む、宿主細胞。
【請求項１８】  単離されたポリペプチドであって、以下：
ａ）配列番号２、４または５のアミノ酸配列を含むポリペプチド；
ｂ）配列番号２、４または５のアミノ酸配列を含むポリペプチドのフラグメントであって、該フラグメントが配列番号２、４または５の少なくとも６個の連続するアミノ酸を含む、フラグメント；
ｃ）配列番号２、４または５のアミノ酸配列を含むポリペプチドの誘導体；
ｄ）配列番号２、４または５のアミノ酸配列を含むポリペプチドのアナログ；ならびに
ｅ）配列番号２、４または５のアミノ酸配列を含むポリペプチドのホモログ；
からなる群より選択されるポリペプチドに少なくとも８０％同一である、単離されたポリペプチド。
【請求項１９】  請求項１８に記載のポリペプチドに選択的に結合する、抗体、ならびに該抗体のフラグメント、ホモログ、アナログおよび誘導体。
【請求項２０】  請求項１５に記載の核酸を含む、薬学的組成物。
【請求項２１】  請求項１８に記載のポリペプチドを含む、薬学的組成物。
【請求項２２】  サンプルにおいて、請求項１８に記載のポリペプチドの存在を検出する方法であって、請求項１８に記載のポリペプチドに選択的に結合する化合物と該サンプルとを接触させる工程、および請求項１８に記載のポリペプチドに結合した化合物が、該サンプル中に存在するか否かを決定する工程、を包含する、方法。
【請求項２３】  請求項１８に記載のポリペプチドの活性を調節するための組成物であって、請求項１８に記載のポリペプチドを、該ポリペプチドに結合する化合物と、該ポリペプチドの活性を調節するに十分な量で含む、組成物。
【請求項２４】  造血幹細胞の移動を促進するための組成物であって、請求項１８に記載のポリペプチドを、該造血幹細胞の移動を促進するに十分な量で含む、組成物。
【請求項２５】  前記造血幹細胞が骨髄細胞または胎児肝細胞である、請求項２４に記載の組成物。
【請求項２６】  造血幹細胞または内皮細胞の増殖または分化を阻害するための組成物であって、請求項１８に記載のポリペプチドを、該細胞の増殖を阻害するに十分な量で含む、組成物。
【請求項２７】  前記造血幹細胞または前記内皮細胞がインビトロで提供される、請求項２６に記載の組成物。
【請求項２８】  前記造血幹細胞または前記内皮細胞が哺乳動物被験体からエキソビボで提供される、請求項２６に記載の組成物。
【請求項２９】  前記造血幹細胞または前記内皮細胞が哺乳動物被験体においてインビボで提供される、請求項２６に記載の組成物。
【請求項３０】  前記造血幹細胞または前記内皮細胞がヒトまたはげっ歯類の被験体に由来する、請求項２６に記載の組成物。
【請求項３１】  造血を調節する薬剤を同定する方法であって、該方法は、以下：
（ａ）請求項１８に記載のポリペプチドおよび試験薬剤を接触させる工程；ならびに
（ｂ）該ポリペプチドと該薬剤との間の複合体を検出する工程であって、該複合体の存在は、該薬剤が造血を調節することを示す、工程；
を包含する、方法。
【請求項３２】  造血を調節する薬剤を同定するインビトロ方法であって、該方法は、以下：
（ａ）造血幹細胞と、請求項１８に記載のポリペプチドおよび試験薬剤とを接触させる工程；ならびに
（ｂ）該試験薬剤の非存在下での該造血幹細胞の増殖と、該ポリペプチドおよび該試験薬剤の存在下での該造血幹細胞の増殖とを比較する工程、
を包含し、
ここで該試験薬剤の非存在下での該造血幹細胞の増殖または分化と比較した、該試験薬剤の存在下での該造血幹細胞の増殖または分化における変化は、該試験薬剤が造血を調節することを示す、方法。
【請求項３３】  共有結合によって連結された第１のドメインおよび第２のドメインを含むキメラポリペプチドであって、該第１のドメインがケモカインを含み、そして該第２のドメインが造血調節配列を含む、キメラポリペプチド。
【請求項３４】  前記ケモカインがＣＸＣまたはＣＣケモカインである、請求項３３に記載のポリペプチド。
【請求項３５】  前記造血調節配列が配列番号６のアミノ酸配列を含む、請求項３３に記載のポリペプチド。
【請求項３６】  請求項３３に記載のポリペプチドをコードする、単離された核酸分子。
【請求項３７】  請求項３６に記載の核酸分子を含む、核酸ベクター。
【請求項３８】  請求項３６に記載の単離された核酸分子を含む、宿主細胞。
【請求項３９】  請求項３６に記載の核酸を含む、薬学的組成物。
【請求項４０】  請求項３３に記載のポリペプチドに選択的に結合する抗体、ならびに該抗体のフラグメント、ホモログ、アナログおよび誘導体。
【請求項４１】  請求項３３に記載のポリペプチドを含む、薬学的組成物。
【請求項４２】  サンプルにおいて、請求項３３に記載のポリペプチドの存在を検出する方法であって、請求項３１に記載のポリペプチドに選択的に結合する化合物と、該サンプルとを接触させる工程、および請求項３１に記載のポリペプチドに結合した該化合物が該サンプルに存在するか否かを決定する工程、を包含する、方法。
【請求項４３】  請求項３３に記載のポリペプチドの活性を調節するための方法であって、請求項３３に記載のポリペプチドを含む細胞サンプルと、該ポリペプチドに結合する化合物とを、該ポリペプチドの活性を調節するに十分な量で接触させる工程を包含する、方法。
【請求項４４】  造血幹細胞の移動を促進する組成物であって、請求項３３に記載のポリペプチドを、該造血幹細胞の移動を促進するに十分な量で含む、組成物。
【請求項４５】  前記造血幹細胞が骨髄細胞または胎児肝細胞である、請求項４４に記載の組成物。
【請求項４６】  造血幹細胞または内皮細胞の増殖または分化を阻害する組成物であって、請求項３１に記載のポリペプチドを、該細胞の増殖を阻害するに十分な量で含む、組成物。
【請求項４７】  前記造血幹細胞または前記内皮細胞がインビトロで提供される、請求項４６に記載の組成物。
【請求項４８】  前記造血幹細胞または前記内皮細胞が哺乳動物被験体からエキソビボで提供される、請求項４６に記載の組成物。
【請求項４９】  前記造血幹細胞または前記内皮細胞が哺乳動物被験体においてインビボで提供される、請求項４６に記載の組成物。
【請求項５０】  前記造血幹細胞がヒトまたはげっ歯類の被験体に由来する、請求項４６に記載の組成物。
【請求項５１】  造血を調節する薬剤を同定する方法であって、該方法は、以下：
（ａ）請求項３３に記載のポリペプチドおよび試験薬剤を接触させる工程；ならびに
（ｂ）該ポリペプチドと該薬剤との間の複合体を検出する工程であって、該複合体の存在は、該薬剤が造血を調節することを示す、工程、
を包含する、方法。
【請求項５２】  造血を調節する薬剤を同定するインビトロ方法であって、該方法は、以下：
（ａ）造血幹細胞と、請求項３３に記載のポリペプチドおよび試験薬剤とを接触させる工程；ならびに
（ｂ）該試験薬剤の非存在下での該造血幹細胞の増殖または分化に対して、該ポリペプチドおよび該試験薬剤の存在下での該造血幹細胞の増殖または分化を比較する工程、
を包含し、
ここで該試験薬剤の非存在下での該造血幹細胞の増殖または分化と比較した、該試験薬剤の存在下での該造血幹細胞の増殖または分化における変化は、該試験薬剤が造血を調節することを示す、方法。
【請求項５３】  ＨＥＭＡ  １〜３９および４０からなる群より選択される２以上の核酸配列を検出する、キット。
【請求項５４】  ＨＥＭＡ  １〜３９および４０からなる群より選択される１以上の核酸を検出する、アレイ。
【請求項５５】  ＨＥＭＡ  １〜３９および４０からなる群より選択される１以上の核酸を含む、複数の核酸。